(57)【要約】【課題】紙詰まりなどが生じたときに画像形成装置内に残留する残留紙についてパージ処理を実行する際において残留紙を適切に排出する。【解決手段】画像形成システム内に残留している残留紙を集めて排出部のいずれかのトレイに排出するパージ処理を実行する際に、正常に画像形成される用紙が排出されたトレイである有効紙トレイを除いたいずれかのトレイを、パージ処理により残留紙を排出するトレイであるパージトレイとして設定し、残留紙を排出するよう排出部を制御する。【選択図】図１
2014164011.tif 000002
【特許請求の範囲】
【請求項１】
用紙に画像を形成する画像形成部と、
複数の異なるトレイに用紙を排出する排出部と、
前記用紙を前記画像形成部に給紙し、前記画像形成部により前記用紙に対して画像を形成し、該画像形成部で画像が形成された前記用紙を前記排出部のいずれかのトレイに排出するよう制御する制御部と、を有する画像形成システムであって、
前記制御部は、該画像形成システム内に残留している残留紙を集めて前記排出部のいずれかのトレイに排出するパージ処理を実行する際に、正常に画像形成される用紙が排出されたトレイである有効紙トレイを除いたいずれかのトレイを、前記パージ処理により前記残留紙を排出するトレイであるパージトレイとして設定し、該パージトレイに前記残留紙を排出するよう前記排出部を制御する、
ことを特徴とする画像形成システム。
【請求項２】
前記制御部は、用紙搬送方向において前記残留紙を排出可能な最も下流側のトレイを、前記パージトレイとして設定する、
ことを特徴とする請求項１に記載の画像形成システム。
【請求項３】
用紙詰まりを検知するジャム検知部を備え、
前記制御部は、前記ジャム検知部の検知結果の履歴により、用紙詰まりの発生頻度が高い位置を検出し、検出された位置近傍に存在するトレイを、前記パージトレイとして設定する、
ことを特徴とする請求項１に記載の画像形成システム。
【請求項４】
前記制御部は、出力物として使用されない不要紙が排出されるトレイを、前記パージトレイとして設定する、
ことを特徴とする請求項１に記載の画像形成システム。
【請求項５】
前記排出部に含まれる各トレイには用紙の載置を検知するセンサを備え、
前記制御部は、前記センサの検知結果を参照し、用紙の排出が無い状態で用紙の載置が検知された場合には、用紙の載置が検知されたトレイを、前記パージトレイとして設定する、
ことを特徴とする請求項１に記載の画像形成システム。
【請求項６】
前記排出部に含まれる各トレイには用紙の載置を検知するセンサを備え、
前記制御部は、前記センサの検知結果を参照し、用紙の排出が無い状態で用紙の載置が検知された場合には、用紙の載置が検知されたトレイを、前記有効紙トレイとするか、あるいは、前記パージトレイにするかについて、設定あるいは選択に応じて設定する、
ことを特徴とする請求項１に記載の画像形成システム。
【請求項７】
前記制御部は、前記パージ処理により前記残留紙を前記パージトレイに排出した後は、前記パージトレイに排出された前記残留紙が除去されるまでの間は、前記パージトレイを排出先として前記パージ処理を行うよう制御する、
ことを特徴とする請求項１−６のいずれか一項に記載の画像形成システム。
【請求項８】
前記制御部は、前記パージ処理により前記残留紙を前記パージトレイに排出した後は、画像形成システムの電源が遮断されるまでの間は、前記パージトレイを排出先として前記パージ処理を行うよう制御する、
ことを特徴とする請求項１−６のいずれか一項に記載の画像形成システム。
【請求項９】
前記制御部は、出力物として使用されない不要紙を含む状態で用紙を搬送する際に、前記パージ処理により前記残留紙を排出するトレイに対して、当該不要紙を排出するよう制御する、
ことを特徴とする請求項１−８のいずれか一項に記載の画像形成システム。
【請求項１０】
画像形成装置で画像が形成された用紙を受け入れ、
複数の異なるトレイに前記用紙を排出する排出部と、
受け入れた前記用紙を前記排出部のいずれかのトレイに排出するよう制御する制御部と、を有する用紙処理装置であって、
前記制御部は、該用紙処理装置内又は前記画像形成装置内に残留している残留紙を集めて前記排出部のいずれかのトレイに排出するパージ処理を実行する際に、正常に画像形成される用紙が排出されたトレイである有効紙トレイを除いたいずれかのトレイを、前記パージ処理により前記残留紙を排出するトレイであるパージトレイとして設定し、該パージトレイに前記残留紙を排出するよう前記排出部を制御する、
ことを特徴とする用紙処理装置。
【請求項１１】
前記制御部は、用紙搬送方向において前記残留紙を排出可能な最も下流側のトレイを、前記パージトレイとして設定する、
ことを特徴とする請求項１０に記載の用紙処理装置。
【請求項１２】
用紙詰まりを検知するジャム検知部を備え、
前記制御部は、前記ジャム検知部の検知結果の履歴により、用紙詰まりの発生頻度が高い位置を検出し、検出された位置近傍に存在するトレイを、前記パージトレイとして設定する、
ことを特徴とする請求項１０に記載の用紙処理装置。
【請求項１３】
前記制御部は、出力物として使用されない不要紙が排出されるトレイを、前記パージトレイとして設定する、
ことを特徴とする請求項１０に記載の用紙処理装置。
【請求項１４】
前記排出部に含まれる各トレイには用紙の載置を検知するセンサを備え、
前記制御部は、前記センサの検知結果を参照し、用紙の排出が無い状態で用紙の載置が検知された場合には、用紙の載置が検知されたトレイを、前記パージトレイとして設定する、
ことを特徴とする請求項１０に記載の用紙処理装置。
【請求項１５】
前記排出部に含まれる各トレイには用紙の載置を検知するセンサを備え、
前記制御部は、前記センサの検知結果を参照し、用紙の排出が無い状態で用紙の載置が検知された場合には、用紙の載置が検知されたトレイを、前記有効紙トレイとするか、あるいは、前記パージトレイにするかについて、設定あるいは選択に応じて設定する、
ことを特徴とする請求項１０に記載の用紙処理装置。
【請求項１６】
前記制御部は、前記パージ処理により前記残留紙を前記パージトレイに排出した後は、前記パージトレイに排出された前記残留紙が除去されるまでの間は、前記パージトレイを排出先として前記パージ処理を行うよう制御する、
ことを特徴とする請求項１０−１５のいずれか一項に記載の用紙処理装置。
【請求項１７】
前記制御部は、前記パージ処理により前記残留紙を前記パージトレイに排出した後は、画像形成システムの電源が遮断されるまでの間は、前記パージトレイを排出先として前記パージ処理を行うよう制御する、
ことを特徴とする請求項１０−１５のいずれか一項に記載の用紙処理装置。
【請求項１８】
前記制御部は、出力物として使用されない不要紙を含む状態で用紙を搬送する際に、前記パージ処理により前記残留紙を排出するトレイに対して、当該不要紙を排出するよう制御する、
ことを特徴とする請求項１０−１７のいずれか一項に記載の用紙処理装置。
【請求項１９】
用紙に画像を形成する画像形成部と、複数の異なるトレイに前記用紙を排出する排出部と、前記用紙を前記排出部のいずれかのトレイに排出するよう制御する制御部と、を有する画像形成システムを制御する用紙処理制御方法であって、
画像形成システム内に残留している残留紙を集めて前記排出部のいずれかのトレイに排出するパージ処理を実行する際に、正常に画像形成される用紙が排出されたトレイである有効紙トレイを除いたいずれかのトレイを、前記パージ処理により前記残留紙を排出するトレイであるパージトレイとして設定し、該パージトレイに前記残留紙を排出するよう前記排出部を制御する、
ことを特徴とする用紙処理制御方法。
【請求項２０】
前記制御部は、用紙搬送方向において最も下流側にあるトレイをパージトレイ候補として選択し、
前記選択されたトレイに前記残留紙を排出可能か否かを判断し、
前記選択されたトレイに前記残留紙を排出可能である場合、該選択されたトレイをパージトレイとして設定する、
ことを特徴とする請求項１９に記載の用紙処理制御方法。
【請求項２１】
前記選択されたトレイに残留紙を排出可能でない場合、前記選択されたトレイの１つ上流側に位置するトレイをパージトレイ候補として選択し、
前記選択されたトレイに前記残留紙を排出可能である場合、該選択されたトレイをパージトレイとして設定する、
ことを特徴とする請求項２０に記載の用紙処理制御方法。
【請求項２２】
前記制御部は、用紙詰まりを検知すると共に検知結果を蓄積し、
前記ジャム検知部の検知結果の履歴により、用紙詰まりの発生頻度が高い位置を検出し、検出された位置の近傍に存在するトレイを、前記パージトレイとして設定する、
ことを特徴とする請求項１９に記載の用紙処理制御方法。
【請求項２３】
前記制御部は、出力物として使用されない不要紙が排出されるトレイを、前記パージトレイとして設定する、
ことを特徴とする請求項１９に記載の用紙処理制御方法。
【請求項２４】
前記排出部に含まれる各トレイには用紙の載置を検知するセンサを備え、
前記制御部は、前記センサの検知結果を参照し、用紙の排出が無い状態で用紙の載置が検知された場合には、用紙の載置が検知されたトレイを、前記パージトレイとして設定する、
ことを特徴とする請求項１９に記載の用紙処理制御方法。
【請求項２５】
前記排出部に含まれる各トレイには用紙の載置を検知するセンサを備え、
前記制御部は、前記センサの検知結果を参照し、用紙の排出が無い状態で用紙の載置が検知された場合には、用紙の載置が検知されたトレイを、前記有効紙トレイとするか、あるいは、前記パージトレイにするかについて、設定あるいは選択に応じて設定する、
ことを特徴とする請求項１９に記載の用紙処理制御方法。
【請求項２６】
前記パージ処理により前記残留紙を前記パージトレイに排出した後は、前記パージトレイに排出された前記残留紙が除去されるまでの間は、前記パージトレイを排出先として前記パージ処理を行うよう制御する、
ことを特徴とする請求項１９−２５のいずれか一項に記載の用紙処理制御方法。
【請求項２７】
前記パージ処理により前記残留紙を前記パージトレイに排出した後は、画像形成システムの電源が遮断されるまでの間は、前記パージトレイを排出先として前記パージ処理を行うよう制御する、
ことを特徴とする請求項１９−２５のいずれか一項に記載の用紙処理制御方法。
【請求項２８】
前記制御部は、出力物として使用されない不要紙を含む状態で用紙を搬送する際に、前記パージ処理により前記残留紙を排出するトレイに対して、当該不要紙を排出するよう制御する、
ことを特徴とする請求項１９−２７のいずれか一項に記載の用紙処理制御方法。 
【発明の詳細な説明】
【技術分野】
【０００１】
本発明は、複写機，プリンタ，ファクシミリ装置及びこれらの複合機等の画像形成装置に用紙処理装置が接続された画像形成システム、もしくは画像形成システムに用いられる用紙処理装置、または用紙処理装置を制御する用紙処理制御方法に係り、特に、紙詰まり（用紙ジャム）等によって画像形成システム内に残留する残留紙が生じたときに用紙搬送路上に残留紙を適切に排出するパージ処理の技術に関する。
【背景技術】
【０００２】
レーザ式等のプリンタや複写機等の画像形成装置には、多様な画像形成条件に対応するために複数種類の用紙を収容する給紙トレイが各用紙別に複数設けられている。また、この給紙トレイとして、画像形成部より下流側に、挿入用紙を挿入するための給紙部が設けられている画像形成システムも存在している。
【０００３】
また、多様な画像形成がなされた用紙を個別に扱うため、画像形成装置に対して用紙処理装置が接続されて画像形成システムが構成されることがある。そして、このように各種の用紙処理装置が接続された場合には、各用紙処理に合わせて複数の排紙トレイが設けられていることがある。
【０００４】
なお、画像形成システム内のいずれかの位置で紙詰まりが発生した場合には、画像形成システムの動作を停止させた後に、パージ処理として、画像形成システム内に残留している残留紙を１箇所の排紙トレイに集めて排出する技術が存在している。
【０００５】
なお、紙詰まり発生時の残留紙の取り扱いについては、以下の特許文献１−２に記載がなされている。
【先行技術文献】
【特許文献】
【０００６】
【特許文献１】特開平１０−２５０９２８号公報
【特許文献２】特開平１１−２９２３８９号公報
【発明の概要】
【発明が解決しようとする課題】
【０００７】
以上の特許文献１では、用紙排出部に上下動可能な複数のビントレイが設けられ、排紙口へビントレイを移動させる構成になっており、ビントレイのうちの一つを割り込み用トレイに設定した場合、ジャムが発生して不要紙がトレイに搬送される前に、割り込み用トレイが排紙口へ移動できる場合に、割り込み用トレイにジャムによる不要紙を排出することが提案されている。但し、パージトレイをパージ処理専用に定める思想は開示されていない。
【０００８】
また、以上の特許文献２では、画像形成システム内のいずれかの位置で紙詰まりが発生した場合には、パージトレイをユーザが選択し、選択された排紙トレイに残留紙を集めて排出することが提案されている。但し、パージトレイをパージ処理専用に自動的に定める思想は開示されていない。
【０００９】
ところで、用紙詰まり発生後には、パージ処理により残留紙を集めて自動的に不要紙として排出し、排出された不要紙を一括して廃棄することが望ましい。
ところが、実際の画像形成システムでは、既に正常に画像形成された有効紙の上にパージ処理による不要紙が排出されてしまって、有効紙と不要紙とが混在する事態が発生しうる。また、画像形成システムを複数の利用者が使用する場合にも、パージ処理のトレイが定まっていないと、トレイ上で有効紙と不要紙とが混在しやすい状況が発生しうる。
【００１０】
なお、このようなパージ処理は、ジャム発生後だけでなく、画像形成中の停電や電源オフの後にも同様に実行される。
そして、このような有効紙と不要紙との混在が発生すると、利用者が用紙を１枚１枚確認しつつ、有効紙と不要紙とに振り分ける作業が必要になっていた。従って、従来は、残留紙を適切に排出する手法が存在していない状況であった。
【００１１】
本発明はこのような課題に鑑みてなされたものであって、紙詰まりなどが生じたときに装置内に残留する残留紙についてパージ処理を実行する際において残留紙を適切に排出することが可能な、画像形成システム及び用紙処理装置並びに用紙処理制御方法を実現することを目的とする。
【課題を解決するための手段】
【００１２】
（１）上述の課題を解決する一態様は、用紙に画像を形成する画像形成部と、複数の異なるトレイに用紙を排出する排出部と、前記用紙を前記画像形成部に給紙し、前記画像形成部により前記用紙に対して画像を形成し、該画像形成部で画像が形成された前記用紙を前記排出部のいずれかのトレイに排出するよう制御する制御部と、を有する画像形成システムであって、前記制御部は、該画像形成システム内に残留している残留紙を集めて前記排出部のいずれかのトレイに排出するパージ処理を実行する際に、正常に画像形成される用紙が排出されたトレイである有効紙トレイを除いたいずれかのトレイを、前記パージ処理により前記残留紙を排出するトレイであるパージトレイとして設定し、該パージトレイに前記残留紙を排出するよう前記排出部を制御する、ことを特徴とする。
【００１３】
（２）以上の（１）において、前記制御部は、用紙搬送方向において前記残留紙を排出可能な最も下流側のトレイを、前記パージトレイとして設定する、ことを特徴とする。この場合、前記制御部は、用紙搬送方向において最も下流側にあるトレイをパージトレイ候補として選択し、前記選択されたトレイに前記残留紙を排出できるか判断し、前記選択されたトレイに前記残留紙を排出できる場合、該選択されたトレイをパージトレイとして設定する。なお、前記選択されたトレイに残留紙を排出できない場合、前記選択されたトレイの１つ上流側に位置するトレイをパージトレイ候補として選択し、前記選択されたトレイに前記残留紙を排出できる場合、該選択されたトレイをパージトレイとして設定する。
【００１４】
（３）以上の（１）において、用紙詰まりを検知するジャム検知部を備え、前記制御部は、前記ジャム検知部の検知結果の履歴により、用紙詰まりの発生頻度が高い位置を検出し、検出された位置近傍に存在するトレイを、前記パージトレイとして設定する、ことを特徴とする。
【００１５】
（４）以上の（１）において、前記制御部は、出力物として使用されない不要紙が排出されるトレイを、前記パージトレイとして設定する、ことを特徴とする。
（５）以上の（１）において、前記排出部に含まれる各トレイには用紙の載置を検知するセンサを備え、前記制御部は、前記センサの検知結果を参照し、用紙の排出が無い状態で用紙の載置が検知された場合には、用紙の載置が検知されたトレイを、前記パージトレイとして設定する、ことを特徴とする。
【００１６】
（６）以上の（１）において、前記排出部に含まれる各トレイには用紙の載置を検知するセンサを備え、前記制御部は、前記センサの検知結果を参照し、用紙の排出が無い状態で用紙の載置が検知された場合には、用紙の載置が検知されたトレイを、前記有効紙トレイとするか、あるいは、前記パージトレイにするかについて、設定あるいは選択に応じて設定する、ことを特徴とする。
【００１７】
（７）以上の（１）−（６）において、前記制御部は、前記パージ処理により前記残留紙を前記パージトレイに排出した後は、前記パージトレイに排出された前記残留紙が除去されるまでの間は、前記パージトレイを排出先として前記パージ処理を行うよう制御する、ことを特徴とする。
【００１８】
（８）以上の（１）−（６）において、前記制御部は、前記パージ処理により前記残留紙を前記パージトレイに排出した後は、画像形成システムの電源が遮断されるまでの間は、前記パージトレイを排出先として前記パージ処理を行うよう制御する、ことを特徴とする。
【００１９】
（９）以上の（１）−（８）において、前記制御部は、出力物として使用されない、チャートや白紙や不要タブ紙等の不要紙を含む状態で用紙を搬送する際に、前記パージ処理により前記残留紙を排出するトレイに対して、当該不要紙を排出するよう制御する、ことを特徴とする。
【発明の効果】
【００２０】
（１）上述の課題を解決する一態様では、画像形成システム内に残留している残留紙を集めて排出部のいずれかのトレイに排出するパージ処理を実行する際に、正常に画像形成される用紙が排出されたトレイである有効紙トレイを除いたいずれかのトレイを、パージ処理により残留紙を排出するトレイであるパージトレイとして設定し、残留紙を排出するよう排出部を制御することで、紙詰まりなどが生じて残留紙についてパージ処理を実行する際において、有効紙と不要紙とが混在せずに、不要紙としての残留紙を適切に排出することが可能になる。
【００２１】
（２）以上の（１）において、排出部において用紙搬送方向において排出可能な最も下流側のトレイを、パージトレイとして設定することにより、紙詰まりなどが生じて残留紙についてパージ処理を実行する際において確実に残留紙を不要紙として排出することが可能になり、有効紙と不要紙とが混在せずに、残留紙を適切に排出することが可能になる。
【００２２】
（３）以上の（１）において、ジャム検知結果の履歴により、用紙詰まりの発生頻度が高い位置を検出し、検出された位置近傍に存在するトレイを、パージトレイとして設定することにより、装置内部からジャム紙を除去する作業と、パージ処理によって排出された残留紙をパージトレイから取り出す作業とが、近い位置で実行しやすくなる。よって、紙詰まりなどが生じて残留紙についてパージ処理を実行する際において確実に残留紙を不要紙として排出することが可能になり、有効紙と不要紙とが混在せずに、残留紙を適切に排出することが可能になる。
【００２３】
（４）以上の（１）において、出力物として使用されない不要紙が排出されるトレイを、パージトレイとして設定することにより、パージ処理によって排出される残留紙を不要紙と同じトレイに排出することができるため、結果として、パージ処理に係る残留紙が有効紙と混在しない状態で確実に排出できるようになり、有効紙と不要紙とが混在せずに、残留紙を適切に排出することが可能になる。
【００２４】
（５）以上の（１）において、用紙の排出が無い状態でいずれかのトレイに用紙の載置が検知された場合、すなわち、利用者によってトレイに何らかの用紙が載置された場合は有効紙のトレイでは無いので、用紙の載置が検知されたトレイをパージトレイとして設定することにより、有効紙と不要紙とが混在せずに、残留紙を適切に排出することが可能になる。
【００２５】
（６）以上の（１）において、用紙の排出が無い状態で用紙の載置が検知された場合には、用紙の載置が検知されたトレイを、有効紙トレイとするか、あるいは、パージトレイにするかについて、設定あるいは選択に応じて設定することにより、用紙の載置が検知されたトレイをパージトレイとして設定する場合には、有効紙と不要紙とが混在せずに、残留紙を適切に排出することが可能になる。また、用紙の載置が検知されたトレイをパージトレイにせずに他の用途に用いることも可能になる。
【００２６】
（７）以上の（１）−（６）において、パージ処理により残留紙をパージトレイに排出した後は、パージトレイに排出された残留紙が除去されるまでの間は、パージトレイを排出先としてパージ処理を行うよう制御することにより、パージトレイに排出された残留紙が除去されるまでの間にパージ処理を実行する際において有効紙と不要紙とが混在せずに、残留紙を適切に排出することが可能になる
（８）以上の（１）−（６）において、パージ処理により残留紙をパージトレイに排出した後は、画像形成システムの電源が遮断されるまでの間は、パージトレイを排出先としてパージ処理を行うよう制御することにより、画像形成装置の電源がオンされてからオフされるまでの間にパージ処理を実行する際において有効紙と不要紙とが混在せずに、残留紙を適切に排出することが可能になる。
【００２７】
（９）以上の（１）−（８）において、出力物として使用されない不要紙を含む状態で用紙を搬送する際に、パージ処理により残留紙を排出するトレイに対して、当該不要紙を排出するよう制御することにより、パージ処理以外の不要紙についても、有効紙と不要紙とが混在せずに、適切に排出することが可能になる。
【図面の簡単な説明】
【００２８】
【図１】本発明の実施形態の画像形成システムの構成を示すブロック図である。
【図２】本発明の実施形態の画像形成システムの構成を示す構成図である。
【図３】本発明の実施形態の画像形成の動作を示すフローチャートである。
【図４】本発明の実施形態の画像形成の動作時の画面例を示す説明図ある。
【図５】本発明の実施形態の画像形成の動作を示すフローチャートである。
【図６】本発明の実施形態の画像形成の動作を示すフローチャートである。
【図７】本発明の実施形態の画像形成の動作を示すフローチャートである。
【図８】本発明の実施形態の画像形成の動作を示すフローチャートである。
【図９】本発明の実施形態の画像形成の動作を示すフローチャートである。
【発明を実施するための形態】
【００２９】
以下、図面を参照して本発明を実施するための形態（以下、実施形態）を詳細に説明する。
〔全体構成〕
図１〜図２を参照して、本実施の形態に係る画像形成装置と用紙処理装置とを備える画像形成システムの構成について説明する。
【００３０】
図１〜図２に示すように、この画像形成システムは、画像形成装置１００と、画像形成装置１００の後段にて挿入用紙を挿入するＰＩ−ＰＦＵ（Paper Insert - Paper Feed Unit）としての挿入用紙挿入装置２００と、挿入用紙挿入機能と用紙処理機能とを備える用紙処理装置３００と、用紙処理機能を備える用紙処理装置４００と、用紙処理機能を備える用紙処理装置５００と、を有している。
【００３１】
なお、この画像形成システムにおける各装置の接続は一例であって、この接続状態に限定されるものではない。
画像形成装置１００は、画像形成装置１００内の各部を制御すると共に用紙処理装置としてシステム全体を制御する制御部１０１と、接続されている他の装置と通信するための通信部１０２と、利用者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１０７と、画像形成装置１００内の各所に配置されたセンサにより用紙詰まり（ジャム）を検知するジャム検知部１１５と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令と画像処理後のイメージデータとに基づいて画像形成（作像，転写，定着などの一連の動作を意味しており、総称して画像形成と呼ぶ）を実行する画像形成部１５０と、を備えて構成されている。なお、画像形成装置１００で画像形成された用紙は、後段の挿入用紙挿入装置２００に向けて搬出される。
【００３２】
挿入用紙挿入装置２００は、画像形成装置１００の後段に接続されており、挿入用紙挿入装置２００内の各部を制御する制御部２０１と、画像形成装置１００と通信するための通信部２０２と、制御プログラム及び各種設定データを記憶すると共に制御プログラムのワークエリアとして使用される記憶部２０４と、挿入用紙を挿入する挿入経路を選択する挿入経路選択部２０５と、用紙を所定速度で搬送する搬送部２１０と、挿入用紙挿入装置２００内の各所に配置されたセンサにより用紙詰まり（ジャム）を検知するジャム検知部２１５と、収容された挿入用紙を用紙搬送経路に挿入する用紙挿入部２２０と、を備えて構成される。なお、挿入用紙挿入装置２００内を搬送された用紙は、後段の用紙処理装置３００に向けて搬出される。
【００３３】
用紙処理装置３００は、画像形成装置１００の後段に接続されており、用紙処理装置３００内の各部を制御する制御部３０１と、画像形成装置１００と通信するための通信部３０２と、制御プログラム及び各種設定データを記憶すると共に制御プログラムのワークエリアとして使用される記憶部３０４と、挿入用紙を挿入する挿入経路を選択する挿入経路選択部３０５と、用紙処理された用紙束を排出させる排出経路を選択する排出経路選択部３０６と、用紙を所定速度で搬送する搬送部３１０と、用紙処理装置３００内の各所に配置されたセンサにより用紙詰まり（ジャム）を検知するジャム検知部３１５と、ＰＩ（Paper Inserter）部に収容された挿入用紙を用紙搬送経路に挿入する用紙挿入部３２０と、用紙に綴じ穴を開けるパンチ部３３０と、用紙を中折り又は３つ折りに折る折り部３４０と、サブトレイ３９０ｓを排出先として用紙を排出するサブトレイ排出部３９０Ｓと、を備えて構成される。なお、用紙処理装置３００内を搬送された用紙は、後段の用紙処理装置４００に向けて搬出される。
【００３４】
用紙処理装置４００は、用紙処理装置３００の後段に接続されており、用紙処理装置４００内の各部を制御する制御部４０１と、画像形成装置１００や用紙処理装置３００等と通信するための通信部４０２と、制御プログラム及び各種設定データを記憶すると共に制御プログラムのワークエリアとして使用される記憶部４０４と、用紙処理された用紙束を排出させる排出経路を選択する排出経路選択部４０６と、用紙を所定速度で搬送する搬送部４１０と、用紙処理装置４００内の各所に配置されたセンサにより用紙詰まり（ジャム）を検知するジャム検知部４１５と、用紙を中折り又は３つ折りに折る折り部４４０と、折られた複数枚の用紙を整合する整合部４５０と、折られて整合された用紙束を綴じる中綴じ部４６０と、中綴じされた用紙束の小口部分を断裁する断裁部４８０と、サブトレイ４９０ｓを排出先として用紙を排出するサブトレイ排出部４９０Ｓと、を備えて構成される。なお、用紙処理装置４００内を搬送された用紙は、後段の用紙処理装置５００に向けて搬出される。
【００３５】
用紙処理装置５００は、用紙処理装置４００の後段に接続されており、用紙処理装置５００内の各部を制御する制御部５０１と、画像形成装置１００や用紙処理装置４００等と通信するための通信部５０２と、制御プログラム及び各種設定データを記憶すると共に制御プログラムのワークエリアとして使用される記憶部５０４と、用紙処理された用紙束を排出させる排出経路を選択する排出経路選択部５０６と、用紙を所定速度で搬送する搬送部５１０と、用紙処理装置５００内の各所に配置されたセンサにより用紙詰まり（ジャム）を検知するジャム検知部５１５と、複数枚の用紙を整合する整合部５５０と、整合された用紙束を綴じる平綴じ部５６０と、サブトレイ５９０ｓを排出先として用紙を排出するサブトレイ排出部５９０Ｓと、メイントレイ５９０ｍを排出先として用紙や冊子を排出するメイントレイ排出部５９０Ｍと、を備えて構成される。
【００３６】
なお、以上の用紙処理装置３００〜５００内の各用紙処理機能や各構成要素は一例であって、これらに限定されるものではない。
〔実施形態の動作〕
以下、本実施形態の画像形成システム及び用紙処理装置並びに用紙処理制御方法について、メインルーチンのフローチャート（図３）及びサブルーチンのフローチャート（図５−図９）を参照して動作手順に従って説明する。
【００３７】
なお、実施形態において、パージ処理とは、ジャム発生後に排出可能な残留紙を１箇所の排紙トレイに集めて排出することと、ジャム発生後にジャム紙が除去されてから排出可能な残留紙を１箇所の排紙トレイに集めて排出することの２つの意味がある。以下の実施形態の説明においてパージ処理としては、両方を意味するものである。
【００３８】
全体制御（メインルーチン）：
図３は本実施形態の画像形成システムにおける基本的な動作であるメインルーチンを示すフローチャートである。
【００３９】
まず、制御部１０１はパージ処理に関連する初期設定を行う（図３中のステップＳ１０１）。
例えば、制御部１０１は、図４に示す操作表示画面１０３Ｇを操作表示部１０３に表示し、パージ処理実行の際にパージトレイを手動選択するか自動選択するか、自動選択の場合には何を優先して選択するか、といった設定を利用者から受け付ける。
【００４０】
ここで、操作表示画面１０３Ｇ内の設定画面１０３Ｇａ１において、パージトレイを手動選択する／自動選択するといった選択肢がある。また、パージトレイを自動選択する際に、最下流トレイ優先／ジャム多発位置近傍トレイ優先／不要紙排出トレイ優先、といった設定がある。また、パージトレイの自動選択を解除する際に、トレイ用紙除去時解除／電源オフ時解除／自動解除しない、といった設定がある。
【００４１】
また、装置内部からの排紙ではなく、トレイに用紙が載置された場合に、そのトレイをパージトレイに割り当てる（パージトレイ自動選択）、そのトレイを有効紙トレイに割り当てる、何もしない、といった設定がある。
【００４２】
この図４の画面例では、［自動選択］：［ジャム多発位置近傍］、［自動解除］：［用紙除去で解除］、［用紙載置時トレイ設定］：［パージトレイに設定］、が選択された様子を一例として示している。
【００４３】
操作表示画面１０３Ｇ内の設定画面１０３Ｇａ１での設定を完了し、利用者がＯＫボタン１０３Ｇｂ１を押下すると、制御部１０１はパージ処理関連初期設定を記憶部１０４等に記憶する。
【００４４】
そして、操作表示部１０３のスタートボタンの押下や外部ＰＣからの指示などで画像形成に関するジョブ開始の指示があると（図３中のステップＳ１０２でＹＥＳ）、制御部１０１は、ジョブ開始を宣言するジョブ開始情報を後段の挿入用紙挿入装置２００、用紙処理装置３００〜５００に送信すると共に、画像形成部１５０により画像形成（作像、転写、定着）を行う（図３中のステップＳ１０３）。
【００４５】
ここで、制御部１０１は、実行するジョブについてのジョブ情報を参照し、画像形成順にどの給紙トレイからの用紙を給紙あるいは挿入するかを判断する。画像形成装置１００内の給紙部１０５からの用紙を給紙するのであれば、制御部１０１は、給紙部１０５に給紙の指示を与える。挿入用紙挿入装置２００の用紙挿入部２２０からの用紙を挿入するのであれば、制御部１０１は、制御部２０１経由で用紙挿入部２２０に給紙の指示を与える。用紙処理装置３００の用紙挿入部３２０からの用紙を挿入するのであれば、制御部１０１は、制御部３０１経由で用紙挿入部３２０に給紙の指示を与える。
【００４６】
なお、用紙詰まり（ジャム）の発生が検出されない限り（図３中のステップＳ１０４でＮＯ）、ジョブとして画像形成すべき全ての用紙について、用紙給紙及び画像形成、用紙挿入を繰り返す（図３中のステップＳ１０５でＮＯ〜Ｓ１０３、Ｓ１０５でＹＥＳ〜エンド）。
【００４７】
ここで、用紙詰まり（ジャム）の発生がジャム検知部１１５〜５１５のいずれかで検知されると（図３中のステップＳ１０４でＹＥＳ）、制御部１０１は、このジャム発生時において画像形成システムの動作を停止させ、画像形成システム残留する残留紙について排出が可能であるかを判断する。なお、制御部１０１は、画像形成実行の際の用紙情報や、各部のセンサの通過検知結果などを参照して、残留紙の存在確認と排出可能判断とを行う。
【００４８】
この際に、残留紙を下流側に搬送して排出することから、最下流の残留紙から排出可能であるかを１枚ずつ判断する。
なお、残留紙について排出が可能でない場合には（図３中のステップＳ１０６でＮＯ）、制御部１０１は、下流から上流に向かって次の残留紙について、その存在確認（図３中のステップＳ１１２）と、存在時（図３中のステップＳ１１２でＹＥＳ）には排出可能判断（図３中のステップＳ１０６）とを繰り返して行う。
【００４９】
残留紙が排出可能である場合（図３中のステップＳ１０６でＹＥＳ）、制御部１０１は、既にパージトレイが設定されているかを判断する（図３中のステップＳ１０７）。ここで、パージトレイとは、ジャム発生後あるいはジャム紙除去後に残留紙を集めて排出する際の排出先であり、通常の画像形成による有効紙が載置されておらず、パージトレイとして設定されたトレイである。
【００５０】
また、パージトレイが存在する場合（図３中のステップＳ１０７でＹＥＳ）、制御部１０１は、そのパージトレイに対して残留紙を排出可能であるかを判断する（図３中のステップＳ１０８）。
【００５１】
パージトレイが存在し（図３中のステップＳ１０７でＹＥＳ）、そのパージトレイに対して残留紙を排出可能である場合（図３中のステップＳ１０８でＹＥＳ）、制御部１０１は、パージトレイに対して残留紙を排出することによりパージ処理を行うよう各部を制御する（図３中のステップＳ１０９）。すなわち、パージトレイに設定されているトレイを有する用紙処理装置３００〜５００に対して残留紙の排出を指示し、指示された用紙処理装置３００〜５００のいずれかでは、残留紙を排出する。
【００５２】
一方、パージトレイが存在しない場合（図３中のステップＳ１０７でＮＯ）、あるいは、存在するパージトレイに対して残留紙を排出できない場合（図３中のステップＳ１０７でＹＥＳ、Ｓ１０８でＮＯ）、制御部１０１は、図５以降に詳細に説明するパージトレイ自動選択処理を実行し（図３中のステップＳ１１０）、自動選択処理で選択されたトレイをパージトレイに設定した上で（図３中のステップＳ１１１）、パージトレイに対して残留紙を排出することによりパージ処理を行うよう各部を制御する（図３中のステップＳ１０９）。
【００５３】
そして、制御部１０１は、画像形成システム内に残留している全ての残留紙について以上の処理を繰り返し行った後に（図３中のステップＳ１１２でＮＯ）、画像形成システムを停止させて動作を終了させる（図３中のステップＳ１１３、エンド）。
【００５４】
パージトレイ自動選択処理（１）：
図５は、本実施形態のパージトレイ自動選択処理の詳細内容としてのサブルーチンの第一例を示すフローチャートである。
【００５５】
ここでは、パージトレイ自動選択処理として、画像形成システム内におけるトレイ位置を、自動選択する際のパラメータとしている。
まず、制御部１０１は、画像形成システム内で最も下流に位置するトレイをパージトレイ候補として選択する（図５中のステップＳ２０１）。なお、図１と図２に示す例では、用紙処理装置５００に設けられているサブトレイ５９０ｓとメイントレイ５９０ｍが該当するが、メイントレイ５９０ｍは通常の画像形成に割り当てることを考え、サブトレイ５９０ｓをパージトレイ候補として選択する。
【００５６】
そして、パージトレイ候補として選択されたトレイに、パージ処理による残留紙を排出できるかを、制御部１０１が判断する（図５中のステップＳ２０２）。なお、残留紙を排出できるとは、パージトレイ候補となったトレイが、既に他の用途（たとえば、通常の画像形成による有効紙の出力先、再利用する白紙の出力先、など）に割り当てられていないこと等を意味する。
【００５７】
ここで、パージトレイ候補として選択されたトレイがパージ処理による残留紙を排出できない場合（図５中のステップＳ２０２でＮＯ）、制御部１０１は、１つ上流側に位置するトレイをパージトレイ候補として選択する（図５中のステップＳ２０３）。なお、図１と図２に示す例では、サブトレイ５９０ｓの１つ上流側としては、用紙処理装置４００に設けられているサブトレイ４９０ｓが該当する。
【００５８】
以上のようにして、残留紙を排出可能な範囲内で、最も下流側に位置するトレイを、制御部１０１がパージトレイ候補として選択する（図５中のステップＳ２０２、Ｓ２０３、Ｓ２０４）。
【００５９】
そして、このように自動選択（図３ステップ中のＳ１１０（図５中のステップＳ２０１〜Ｓ２０４））されたパージトレイ候補が、制御部１０１によってパージトレイとして設定される（図３中のステップＳ１１１）。
【００６０】
このように、残留紙を排出可能な範囲内で最も下流側に位置するトレイをパージトレイとすることで、パージ処理によって下流側に搬送されて排出される残留紙をできる限り１箇所にまとめて、他の用紙と混在しない状態で排出しやすくなる。
【００６１】
パージトレイ自動選択処理（２）：
図６は、本実施形態のパージトレイ自動選択処理の詳細内容としてのサブルーチンの第二例を示すフローチャートである。
【００６２】
ここでは、パージトレイ自動選択処理として、画像形成システム内におけるジャム多発位置を、自動選択する際のパラメータとしている。
まず、制御部１０１は、画像形成システム内のジャム検知結果の履歴を記憶部１０４から呼び出し、ジャムが最も発生する箇所を求める（図６中のステップＳ３０１）。
【００６３】
そして、求められた箇所の近傍に存在するトレイをパージトレイ候補として選択する（図６中のステップＳ３０２）。なお、近傍とは、距離の絶対値で定めるのではなく、複数のトレイの中で、ジャムが最も発生する箇所に対して近い位置にある１又は２のトレイを意味している。
【００６４】
なお、図１と図２に示す例では、用紙処理装置４００と用紙処理装置５００の接続箇所でジャムが多発するとすれば、用紙搬送方向上流側のサブトレイ４９０ｓと用紙搬送方向下流側のサブトレイ５９０ｓとがパージトレイ候補として選択される。
【００６５】
そして、パージトレイ候補として選択されたトレイに、パージ処理による残留紙を排出できるかを、制御部１０１が判断する（図６中のステップＳ３０３）。なお、残留紙を排出できるとは、パージトレイ候補となったトレイが、既に他の用途に割り当てられていないこと等を意味する。
【００６６】
ここで、パージトレイ候補として選択されたトレイがパージ処理による残留紙を排出できない場合（図６中のステップＳ３０３でＮＯ）、制御部１０１は、画像形成システム内のジャム検知結果の履歴を参照し、ジャムが次に多く発生する箇所を求め（図６中のステップＳ３０４）、求められた箇所の近傍に存在するトレイをパージトレイ候補として選択する（図６中のステップＳ３０２）。そして、パージトレイ候補として選択されたトレイに、パージ処理による残留紙を排出できるかを、制御部１０１が判断する（図６中のステップＳ３０３）。
【００６７】
以上のようにして、残留紙を排出可能な範囲内で（図３中のステップＳ３０３でＹＥＳ）、ジャム発生頻度が高い位置の近傍のトレイを、制御部１０１がパージトレイ候補として選択する（図６中のステップＳ３０５）。そして、このように自動選択（図３ステップ中のＳ１１０（図６中のステップＳ３０１〜Ｓ３０５））されたパージトレイ候補が、制御部１０１によってパージトレイとして設定される（図３中のステップＳ１１１）。
【００６８】
なお、ジャム多発箇所の上流側のトレイがパージトレイとして設定された場合には、ジャム発生後に排出可能な残留紙を排出する際のパージ処理に、該トレイが用いられる。一方、ジャム多発箇所の下流側のトレイがパージトレイとして設定された場合には、ジャム発生後にジャム紙が除去されてから、排出可能な残留紙を排出する際のパージ処理に、該トレイが用いられる。
【００６９】
このように、残留紙を排出可能な範囲内で最もジャム発生頻度が高い位置の近傍に位置するトレイをパージトレイとすることで、ジャムリカバリ処理で装置内部からジャム紙を除去する作業と、パージ処理によって排出された残留紙をパージトレイから取り出す作業とが、近い位置で実行しやすくなる。よって、パージ処理によって排出される残留紙を、確実に排出しやすい状態にして、他の用紙と混在しない状態で確実に排出できるようになる。
【００７０】
パージトレイ自動選択処理（３）：
図７は、本実施形態のパージトレイ自動選択処理の詳細内容としてのサブルーチンの第三例を示すフローチャートである。
【００７１】
ここでは、パージトレイ自動選択処理として、画像形成や画像調整などで発生する不要紙（例えば、出力物に利用されない不要タブ紙、不要白紙、不要仕切り紙、画像調整のチャート紙など）が出力されるトレイを、パージトレイ自動選択の対象として割り当てるようにしている。
【００７２】
なお、この図７はパージトレイ自動選択処理であるが、全ての排出部で排出する用紙を確認するために実行されるサブルーチンでもある。
まず、制御部１０１は、画像形成や画像調整などの各種の処理を実行する段階で各種の用紙をいずれかの排出部で排出する際に（図７中のステップＳ４０１）、排出する用紙が不要紙であるかを確認する（図７中のステップＳ４０２）。
【００７３】
ここで、不要紙とは、出力物に利用されない不要タブ紙、不要白紙、不要仕切り紙、画像調整のチャート紙などであり、通常の画像形成により出力物として利用される用紙を除いた各種の用紙が該当する。
【００７４】
ここで、排出する用紙が不要紙でない場合（図７中のステップＳ４０２でＮＯ）、制御部１０１は、この処理を終了する（図７中のリターン）。
一方、排出する用紙が不要紙である場合（図７中のステップＳ４０２でＹＥＳ）、制御部１０１は、排出先が既に設定されたパージトレイであるかを確認する（図７中のステップＳ４０３）。
【００７５】
ここで、不要紙の排出先がパージトレイである場合（図７中のステップＳ４０３でＹＥＳ）、制御部１０１は、この処理を終了する（図７中のリターン）。
一方、排出する用紙が不要紙であり（図７中のステップＳ４０２でＹＥＳ）、不要紙の排出先がパージトレイでなければ（図７中のステップＳ４０３でＮＯ）、パージトレイでないトレイに不要紙が排出されていることから、制御部１０１は、このトレイをパージトレイとして設定し（図７中のステップＳ４０４）、この処理を終了する（図７中のリターン）。
【００７６】
このように、出力物として使用されない不要紙が排出されるトレイを、パージトレイとして設定することにより、パージ処理によって排出される残留紙を不要紙と同じトレイに排出することができるため、結果として、パージ処理に係る残留紙が有効紙と混在しない状態で確実に排出できるようになる。
【００７７】
また、出力物として使用されない不要紙を含む状態で用紙を搬送して、当該不要紙を排出する際に、既にパージトレイが設定されていれば、その不要紙をパージトレイに排出するよう制御することにより（図７中のステップＳ４０２でＹＥＳ、Ｓ４０３でＹＥＳ）、パージ処理以外の不要紙についても、有効紙と不要紙とが混在せずに、適切に排出することが可能になり、パージトレイを有効活用することができる。
【００７８】
パージトレイ自動選択処理（４）：
図８は、本実施形態のパージトレイ自動選択処理の詳細内容としてのサブルーチンの第四例を示すフローチャートである。
【００７９】
ここでは、各排出部に含まれる各トレイには用紙の載置を検知するセンサを備え、パージトレイ自動選択処理として、制御部１０１は、センサの検知結果を参照し、装置内から用紙の排出が無い状態で用紙の載置が検知された場合には、用紙の載置が検知されたトレイを、パージトレイとして設定するようにしている。
【００８０】
なお、この図８はパージトレイ自動選択処理であるが、全ての排出部のトレイで、用紙の載置を検知するために実行されるサブルーチンでもある。
まず、制御部１０１は、各排出部のトレイにおけるセンサの検知結果により用紙載置を監視している（図８中のステップＳ５０１）。また、制御部１０１は、このトレイにおける用紙載置がジョブ中であるか否かを判断する（図８中のステップＳ５０２）。
【００８１】
トレイ上に用紙が載置されない、すなわち、各トレイのセンサが変化しない場合には（図８中のステップＳ５０１でＮＯ）、この処理を終了する（図８中のリターン）。
また、いずれかのトレイのセンサがオフからオンに変化して（図８中のステップＳ５０１でＹＥＳ）、そのオン変化がジョブ実行中でなく（図８中のステップＳ５０２でＮＯ）、すなわち、装置内からの排出ではなくトレイ上に用紙が載置されたと制御部１０１に判断された場合には、初期設定（図４参照）に従い、そのトレイを有効紙トレイに設定する（図８中のステップＳ５０４）か、そのトレイをパージトレイに設定する（図８中のステップＳ５０５）か、そのトレイについて何も設定しない（図８中のステップＳ５０６）か、を決定する（図８中のステップＳ５０３）。
【００８２】
なお、この場合に、初期設定だけでなく、決定（図８中のステップＳ５０３）が必要になった時点で、制御部１０１が操作表示部１０３を介して、利用者に指示や選択を求めるようにしてもよい。
【００８３】
なお、装置内から用紙の排出が無い状態でいずれかのトレイに用紙の載置が検知された場合とは、利用者によってトレイに何らかの用紙が載置された場合であり、載置された用紙は有効紙でないことを意味していることが多い。このため、図４の初期設定では、用紙載置されたトレイをパージトレイに設定する、としておくことが望ましい。これにより、図８のフローチャートでも、トレイに用紙が載置された場合には、そのトレイがパージトレイに設定される（図８中のステップＳ５０５）。
【００８４】
このように、用紙の排出が無い状態でいずれかのトレイに用紙の載置が検知された場合（図８中のステップＳ５０１でＹＥＳ、Ｓ５０２でＮＯ）、すなわち、利用者によってトレイに何らかの用紙が載置された場合に、初期設定（図８中のステップＳ５０３で「パージトレイ」）に従って、用紙の載置が検知されたトレイをパージトレイとして設定することにより（図８中のステップＳ５０５）、有効紙と不要紙とが混在せずに、残留紙を適切に排出することが可能になる。
【００８５】
パージトレイ自動選択処理（５）：
図９は、本実施形態のパージトレイ自動選択処理の詳細内容としてのサブルーチンの第五例を示すフローチャートである。
【００８６】
ここでは、各排出部に含まれる各トレイに用紙の載置を検知するセンサを備え、パージトレイ自動選択処理として、選択されたパージトレイ上の用紙の有無や載置状態変化に基づいてパージトレイの設定を自動的に解除する処理である。
【００８７】
まず、制御部１０１は、パージトレイの設定を記憶部１０４又は制御部１０１内のレジスタから呼び出す（図９中のステップＳ６０１）。パージトレイの設定がなされていなければ（図９中のステップＳ６０１でＮＯ）、制御部１０１は、この処理を終了する。
【００８８】
また、パージトレイの設定がなされている場合に（図９中のステップＳ６０１でＹＥＳ）、制御部１０１は、用紙の載置を検知するセンサの検知結果を参照してパージトレイ上の用紙有無を確認する（図９中のステップＳ６０２）。
【００８９】
設定されたパージトレイ（図９中のステップＳ６０１でＹＥＳ）に用紙が存在していなければ（図９中のステップＳ６０２でＮＯ）、制御部１０１は、この処理を終了する。
設定されたパージトレイ（図９中のステップＳ６０１でＹＥＳ）に用紙が存在している場合に（図９中のステップＳ６０２でＹＥＳ）、そのパージトレイにおける用紙載置検知のセンサの検知結果に変化がなければ（図９中のステップＳ６０３でＮＯ）、制御部１０１は、この処理を終了する。
【００９０】
設定されたパージトレイ（図９中のステップＳ６０１でＹＥＳ）に用紙が存在している場合に（図９中のステップＳ６０２でＹＥＳ）、そのパージトレイにおける用紙載置検知のセンサがオンからオフに変化した場合（図９中のステップＳ６０３でＹＥＳ）には、パージトレイに載置されていた用紙が除去されたことを意味する。この場合、制御部１０１は、そのトレイについてのパージトレイの設定を解除する（図９中のステップＳ６０４）。
【００９１】
このようにしてパージトレイの設定が解除されると、上述した自動選択によって適切なパージトレイが新たに選択されることになる。また、解除されたトレイを、パージトレイ以外の別な用途に使用することも可能になる。また、パージトレイが複数設定されているような場合にも、残留紙が除去されたパージトレイなどの、無駄な設定を解除できるようになる。従って、トレイを有効に使用することが可能になる。
【００９２】
なお、ここでは、用紙除去に応じてパージトレイの設定を解除する様にしたが、初期設定に基づいて、画像形成システムが電源オン状態である間はパージトレイの設定を維持するような設定も可能である。この場合には、画像形成システムの電源がオンされてからオフされるまでの間にパージ処理を実行する際において有効紙と不要紙とが混在せずに、残留紙を適切に排出することが可能になる。
【００９３】
〈その他の実施形態（１）〉
以上、本発明の実施形態を図面によって説明してきたが、具体的な構成や数値は実施形態に示したものに限られるものではなく、本発明の要旨を逸脱しない範囲における変更や追加があっても本発明に含まれる。
【００９４】
以上の実施形態の説明では、画像形成装置１００内の制御部１０１が中心となってパージ処理時の制御を行っていたが、これに限定されるものではない。
画像形成装置１００以外のいずれかの装置２００〜５００内の制御部２０１〜５０１が、以上のパージ処理時の制御を行うように、他の制御部に対して指示を与えて、上記と同様なパージ処理を実行するようにしてもよい。
【００９５】
この場合、画像形成装置１００以外のパージ処理の制御を行う装置に操作表示部を備えている場合には、その操作表示部を使用しても良い。また、操作表示部を備えない場合には、画像形成装置１００に対して情報を送信し、画像形成装置１００の操作表示部１０３を使用して設定受け付けと結果表示とを実行すれば良い。
【００９６】
すなわち、パージトレイに設定されうるトレイを有する用紙処理装置３００〜５００における制御部３０１〜５０１が、制御部１０１に代わって、パージトレイ自動選択の処理を行うことが可能である。
【００９７】
この場合、制御部３０１〜５０１のいずれかが、制御部１０１から必要な情報を得るようにして、制御部１０１に完全に代わって主導権を握ることも可能である。
また、この場合、制御部３０１〜５０１の複数の制御部が、制御部１０１から必要な情報を得るようにして、制御部１０１に完全に代わって共同して主導権を握ることも可能である。
【００９８】
また、制御部３０１〜５０１がパージトレイ自動選択処理を実行して、パージトレイ選択結果を制御部１０１に通知して、制御部１０１が総合的な制御を行うことも可能である。
【００９９】
〈その他の実施形態（２）〉
以上の実施形態では、用紙詰まり（ジャム）により残留紙が発生した場合を想定していたが、これに限定されるものではない。例えば、画像形成システム内のいずれかの部位の故障（例えば、搬送ローラを駆動するモータやギヤの故障）や停電などによって、画像形成実行中に用紙の搬送が停止して残留紙が発生した場合にも、以上の各実施形態を適用することが可能である。
【符号の説明】
【０１００】
１００  画像形成装置
１０１  制御部
１０２  通信部
１０４  記憶部
１０３  操作表示部
１０５  給紙部
１０７  搬送部
１１５  ジャム検知部
１３０  画像データ記憶部
１４０  画像処理部
１５０  画像形成部
２００  用紙挿入装置
２０１  制御部
２０２  通信部
２０４  記憶部
２０５  挿入経路選択部
２１０  搬送部
２１５  ジャム検知部
２２０  用紙挿入部
３００  用紙処理装置
３０１  制御部
３０２  通信部
３０４  記憶部
３０５  挿入経路選択部
３０６  排出経路選択部
３１０  搬送部
３１５  ジャム検知部
３２０  用紙挿入部
３３０  パンチ部
３４０  折り部
３９０Ｓ  サブトレイ排出部
４００  用紙処理装置
４０１  制御部
４０２  通信部
４０４  記憶部
４０６  排出経路選択部
４１０  搬送部
４１５  ジャム検知部
４４０  折り部
４５０  整合部
４８０  断裁部
４９０Ｓ  サブトレイ排出部
５００  用紙処理装置
５０１  制御部
５０２  通信部
５０４  記憶部
５０６  排出経路選択部
５１０  搬送部
５１５  ジャム検知部
５５０  整合部
５６０  平綴じ部
５９０Ｍ  メイントレイ排出部
５９０Ｓ  サブトレイ排出部
【図１】
2014164011.tif 000003
【図２】
2014164011.tif 000004
【図３】
2014164011.tif 000005
【図４】
2014164011.tif 000006
【図５】
2014164011.tif 000007
【図６】
2014164011.tif 000008
【図７】
2014164011.tif 000009
【図８】
2014164011.tif 000010
【図９】
2014164011.tif 000011